(57)【特許請求の範囲】
【請求項１】
内容物が収容され、上部には外周面を取り囲んで第１ねじ山が形成される結合部が具備される容器本体と；
前記容器本体に収容された内容物を吸入するスポイトパイプと；
前記スポイトパイプの下部に結合されて内容物を排出するアプリケーター部と；
前記容器本体の第１ネジ山とネジ結合される第２ネジ山が内周面に形成される本体と、前記本体の上端から上部に延長され、外周面の両側に一対の螺旋状溝が形成される昇下降ガイド部を含む内キャップと；
前記内キャップの内部で昇下降され、その先端に前記スポイトパイプ内の圧力を変化させて内容物の吸入または排出を誘導するように、ピストンが結合されるピストンロッドと、前記ピストンロッドの外周面の両側に形成され、前記内キャップの螺旋状溝に沿って移動するガイド突起を含む昇下降部材と；
前記昇下降部材の上部に結合され、ユーザー加圧による圧力を昇下降部材へ転達するボタン部と；および
前記内キャップを覆って回転可能に結合され、中空が形成されて、その内周面に前記ガイド突起の垂直移動をガイドする垂直ガイド溝が形成される外キャップと；を含み、
前記内キャップの本体外周面両側には、前記外キャップの独立的な回転範囲を制限するように内側方向に陥没された一対の陥没部が形成され、
前記外キャップの内側には、前記一対の陥没部内で回転運動する一対の回転突起が具備され、
前記外キャップを開放方向に回転した時、前記回転突起が前記陥没部の一端から他端に移動する過程で、前記外キャップの独立的な回転が行われ、前記外キャップの垂直ガイド溝に挿入された前記昇下降部材のガイド突起が、前記内キャップの螺旋型溝に沿って上昇して、前記昇下降部材が上昇することによって、前記ピストンによって前記スポイトパイプの内部に内容物の吸入が行われ、その後、前記陥没部の他端に安着された前記回転突起によって、前記外キャップの回転と一緒に前記内キャップの回転が行われ、前記内キャップと前記容器本体とのネジ結合が解体され、前記容器本体から前記内キャップの離脱が行われるように構成されたことを特徴とするスポイト型化粧品容器。
【請求項２】
前記アプリケーター部は、ユーザー肌に触れ合い、回転によって内容物を排出するスチールボールと、
前記スポイトパイプの下部に結合され、前記スチールボールが回転する空間を形成するボール支持体および
前記ボール支持体の先端に結合されてスチールボールの脱離を防止するボールキャップを含むことを特徴とする請求項１に記載のスポイト型化粧品容器。
【請求項３】
前記ボタン部は、前記ピストンロッドの上部に結合されるボタンと、前記外キャップの中空に結合され、前記のボタンを覆って形成されて、ボタンに圧力を伝達するためのボタンキャップで構成されることを特徴とする請求項１に記載のスポイト型化粧品容器。
【請求項４】
前記スポイトパイプの上端には、前記容器本体の結合部の上端に安着される安着部が形成され、前記安着部の下端には、ガスケットが結合されることを特徴とする請求項１に記載のスポイト型化粧品容器。
【発明の詳細な説明】
【技術分野】
【０００１】
本発明は、スポイト型化粧品容器に関するもので、より詳細には、内キャップの両側にピストンロッドの昇下降をガイドする螺旋状溝を形成し、ピストンロッドの両側には螺旋状溝に沿って移動されるガイド突起を形成して、ピストンロードが内キャップの螺旋状溝に沿って昇、下降するように構成されることにより、ピストンによって発生する圧力を最小化し、内容物が急激に排出されることを防止できるスポイト型化粧品容器に関するものである。
【背景技術】
【０００２】
一般的に、アイクリームなど、一度に少量を使用し、正確に定量を使用することが好ましい化粧品など、液体の状態の内容物を使用する方法で、従来は、各使用回次ごとに使用する量だけカプセルなどの形で個別包装する方式が使用された。しかし、これらの個別包装方式は、ユーザーが内容物を使用した後にも、比較的多くの量がカプセルの内部に残っているので、極めて非効率的である問題があった。
【０００３】
これらの個別包装方式の問題点を克服するために、内容物を容器に収容した後、スポイトを用いて内容物を一定量吸い出して使用するスポイト型化粧品容器が提案された。
【０００４】
前記のような従来のスポイト型化粧品容器は、ボタン部の加圧時に、ボタン部の下部に結合されたピストンロッドの下降が行われ、これと同時に、ピストンロッドの下部に結合されたピストンが下降し、スポイトパイプの内圧を発生させて、スポイトパイプの内部に吸入された内容物の排出が行われ、ピストンロッドが垂直に下降するように構成されるので、ボタン部の加圧力がピストンにそのまま伝達され、スポイトパイプの内圧を強く発生させて内容物の急激な排出が行われるようになるので、目的の部位に正確に塗布することが容易ではなく、ユーザーの不便さをもたらすようになる問題点があった。
【発明の開示】
【発明が解決しようとする課題】
【０００５】
本発明は、上述した問題点を解決しようと案出されたもので、本発明の目的は、内キャップの両側にピストンロッドの昇下降をガイドする螺旋状溝を形成し、ピストンロッドの両側には、螺旋状溝に沿って移動されるガイド突起を形成して、ピストンロッドが内キャップの螺旋状溝に沿って昇、下降するように構成されることにより、ピストンによって発生する圧力を最小化し、内容物が急激に排出されることを防止できるスポイト型化粧品容器を提供するものである。
【０００６】
また、スポイトパイプの下部に内容物が排出されるボールアプリケーターを組み合わせて、目的の部位に正確に内容物を塗布することが可能なスポイト型化粧品容器を提供するものである。
【課題を解決するための手段】
【０００７】
前記のような問題点を解決するために、本発明に係るスポイト型化粧品容器は、内容物が収容され、上部には外周面を取り巻いて第１ねじ山が形成される結合部が具備される容器本体と；前記容器本体に収容された内容物を吸入するスポイトパイプと；前記スポイトパイプの下部に結合されて内容物を排出するアプリケーター部と；前記容器本体の第１ネジ山とネジ結合される第２ネジ山が内周面に形成される本体と、前記本体の上端から上部へ延長され、外周面の両側に一対の螺旋状溝が形成される昇下降ガイド部を含む内キャップと；前記内キャップの内部で昇下降され、その先端に前記スポイトパイプ内の圧力を変化させて内容物の吸入または排出を誘導するように、ピストンが結合されるピストンロッドと、前記ピストンロッドの外周面両側に形成され、前記内キャップの螺旋状溝に沿って移動するガイド突起を含む昇下降部材と；前記昇下降部材の上部に結合され、ユーザー加圧による圧力を昇下降部材に伝達するボタン部と；前記内キャップを覆って回転可能に結合され、中空が形成されて、その内周面に前記ガイド突起の垂直移動をガイドする垂直ガイド溝が形成される外キャップ；を含むことを特徴とする。
【０００８】
また、前記アプリケータ部は、ユーザーの肌に触れ合い、回転によって内容物を排出するスチールボールと、前記スポイトパイプの下部に結合され、前記スチールボールが回転する空間を形成するボール支持体および前記ボール支持体の先端に結合されてスチールボールの脱離を防止するボールキャップを含むことを特徴とする。
【０００９】
また、前記内キャップの本体、外周面両側には、前記外キャップの独立的な回転範囲を制限するように内側方向へ陥没した一対の陥没部が形成されることを特徴とする。
【００１０】
また、前記外キャップの内側には、前記一対の陥没部内で回転運動する一対の回転突起が具備されることを特徴とする。
【００１１】
また、前記ボタン部は、前記ピストンロッドの上部に結合されるボタンと、前記外キャップの中空に結合され、前記ボタンを覆って形成されて、ボタンで圧力を伝達するボタンキャップで構成されることを特徴とする。
【００１２】
また、前記スポイトパイプの上端には、前記容器本体の結合部の上端に安着される安着部が形成され、前記安着部の下端には、ガスケットが結合されることを特徴とする。
【発明の効果】
【００１３】
上述したように、本発明によれば、内キャップの両側にピストンロッドの昇下降をガイドする螺旋状溝を形成して、ピストンロッドの両側には、螺旋状溝に沿って移動されるガイド突起を形成してピストンロッドが内キャップの螺旋状溝に沿って昇、下降するように構成されることにより、ピストンによって発生する圧力を最小化し、内容物が急激に排出されることを防止できる長所がある。
【００１４】
また、スポイトパイプの下部に内容物が排出されるボールアプリケーターを結合し、目的の部位に正確に内容物を塗布することが可能な長所がある。
【図面の簡単な説明】
【００１５】
【図１】本発明の好ましい実施例に係るスポイト型化粧品容器の構成を示した分解斜視図である。
【図２】本発明の好ましい実施例に係るスポイト型化粧品容器の構成を示した結合斜視図である。
【図３】本発明の好ましい実施例に係るスポイト型化粧品容器の構成を示す断面図である。
【図４】本発明の好ましい実施例に係るスポイト型化粧品容器の外キャップの回転によって内キャップの陥没部内で回転する回転突起の移動状態を示す説明図である。
【図５】本発明の好ましい実施例に係るスポイト型化粧品容器の使用状態を示す説明図である。
【図６】本発明の好ましい実施例に係るスポイト型化粧品容器の使用状態を示す説明図である。
【発明を実施するための形態】
【００１６】
以下、図面を参照して、本発明を詳細に説明する。各図面に提示された同一な参照符号は同一な部材を示す。
【００１７】
図１は、本発明の好ましい実施例に係るスポイト型化粧品容器の構成を示した分解斜視図であり、図２は、本発明の好ましい実施例に係るスポイト型化粧品容器の構成を示した結合斜視図である。
【００１８】
図３は、本発明の好ましい実施例に係るスポイト型化粧品容器の構成を示す断面図であり、図４は、本発明の好ましい実施例に係るスポイト型化粧品容器の外キャップの回転によって、内キャップの陥没部内で回転する回転突起の移動状態を示す説明図である。
【００１９】
図１〜４を参照すると、本発明の好ましい実施例に係るスポイト型化粧品容器は、容器本体（１００）、スポイトパイプ（２００）、アプリケータ部（３００）、内キャップ（４００）、昇下降部材（５００）、ボタン部（６００）、外キャップ（７００）が含まれる。
【００２０】
前記容器本体（１００）は、内容物が収容されるもので、上部には、後述する内キャップ（４００）が結合されることが可能なように外周面を取り巻いて第１ネジ山（１１１）が形成された結合部（１１０）が具備される。
【００２１】
前記スポイトパイプ（２００）は、前記容器本体（１００）に収容された内容物を吸入するもので、前記スポイトパイプ（２００）の上部には、前記容器本体（１００）の結合部（１１０）の上端に安着される
安着部（２１０）が形成され、前記安着部（２１０）の下端には、容器本体（１００）に収容された内容物が流出することを防止し、スポイトパイプ（２００）の破損を防止するようにガスケット（２２０）が結合されることが好ましい。
【００２２】
前記アプリケータ部（３００）は、前記スポイトパイプ（２００）の下部に結合されて内容物を排出するもので、ユーザーの肌に触れ合い、回転によって内容物を排出するスチールボール（３１０）と、前記スポイトパイプ（２００）の下部に結合され、前記スチールボール（３１０）が回転する空間を形成するボール支持体（３２０）および、前記ボール支持体（３２０）の先端に結合されてスチールボール（３１０）の脱離を防止するボールキャップ（３３０）で構成される。
【００２３】
前記内キャップ（４００）は、前記容器本体（１００）の結合部（１１０）にねじ結合され、昇下降部材（５００）の昇下降をガイドするもので、本体（４１０）、昇下降ガイド部（４２０）が含まれる。
【００２４】
前記本体（４１０）は、前記容器本体（１００）の結合部（１１０）を覆ってネジ結合されるもので、その内周面に前記第１ネジ山（１１１）とねじ結合される第２ネジ山（４１１）が形成される。
【００２５】
本発明において、前記本体（４１０）の外周面両側には内側方向へ陥没された一対の陥没部（４１２）が形成されるのが特徴で、前記陥没部（４１２）は、後述する外キャップ（７００）の回転突起（７３０）が位置して外キャップ（７００）の回転時に陥没部（４１２）の両先端を通じて外キャップ（７００）の回転範囲を限定することとなる。
【００２６】
前記陥没部（４１２）は、内キャップ（４００）が容器本体（１００）に結合された状態で、外キャップ（３００）を開放方向へ回転時に外キャップ（３００）の独立的な回転が行われるように空間を形成するようになり、これによって、後述する昇下降部材（５００）の上昇が行われることとなる。
【００２７】
一方、前記本体（４００）の外周面には、外キャップ（７００）との結合が可能なように外周面を取り囲む結合突起（４１３）が形成されることが好ましい。
【００２８】
前記昇下降ガイド部（４２０）は、前記本体（４１０）の上端から上部へ延長される管形状で構成されるもので、本発明においては、昇下降ガイド部（４２０）の外周面両側には、昇下降部材（５００）の昇勝降下をガイドするように一対の螺旋状溝（４２１）が形成されることが特徴である。
【００２９】
前記螺旋状溝（４２１）は、ボタン部（６００）の加圧によって昇下降部材（５００）の下降時にガイド突起（５２０）が螺旋状溝（４２１）に沿って移動するように案内することで、昇下降部材（５００）の下降速度を制御することとなり、これによって、内容物が急激に排出されることを防止できるようになる。
【００３０】
前記昇下降部材（５００）は、ボタン部（６００）に結合され、ボタン部（６００）の昇下降作動によって前記内キャップ（４００）の内部で昇下降され、スポイトパイプ（２００）内の圧力を変化させて内容物の吸入または排出を誘導するもので、ピストンロッド（５１０）、ガイド突起（５２０）が含まる。
【００３１】
前記ピストンロッド（５１０）は、ボタン（６１０）に結合され、ボタン（６１０）の昇下降作動によって、一緒に昇下降されるもので、前記ピストンロッド（５１０）の下部には、内キャップ（４００）の内壁に密着されて昇下降され、スポイトパイプ（２００）内の圧力を変化させて内容物の吸入または排出を誘導するピストン（５１１）が結合される。
【００３２】
前記ガイド突起（５２０）は、前記ピストンロッド（５１０）の外周面両側に突出形成されるもので、本発明において、前記ガイド突起（５２０）は、前記内キャップ（４００）の螺旋状溝（４２１）に沿って移動するように構成されるのが特徴である。
【００３３】
前記ガイド突起（５２０）は、螺旋状溝（４２１）に沿って移動することで、ボタン部（６００）の加圧による昇下降部材（５００）の下降時に下降速度を制御することとなり、これにより、ピストン（５１１）によって発生する圧力を最小化し、内容物が急激に排出されることを防止するようになる。
【００３４】
前記ボタン部（６００）は、前記昇下降部材（５００）の上部に結合され、ユーザー加圧による圧力を昇下降部材（５００）に転達するもので、前記ピストンロッド（５１０）の上部に結合されるボタン（６１０）と、後述する外キャップ（７００）の中空に結合され、前記ボタン（６１０）を覆って形成されてボタン（６１０）に圧力を伝達するボタンキャップ（６２０）で構成される。
【００３５】
前記外キャップ（７００）は、前記内キャップ（４００）を覆って回転可能なように結合されるもので、前記ボタンキャップ（６２０）の結合を可能なように中空（７１０）が形成され、その内周面には、前記内キャップ（４００）の結合突起（４１３）と結合される結合溝（７４０）が形成される。
【００３６】
本発明において、前記外キャップ（７００）の内周面には、前記ガイド突起（５２０）の垂直移動をガイドするようにガイド突起（５２０）が挿入される垂直ガイドホーム（７２０）が形成されることが特徴で、前記垂直ガイドホーム（７２０）は、外キャップ（７００）の独立的な回転時にガイド突起（５２０）が螺旋状溝（４２１）に沿って移動するようにガイドすることとなる。
【００３７】
一方、前記外キャップ（７００）の内側には、前記一対の陥没部（４１２）内で回転運動する一対の回転突起（７３０）が具備されることが特徴で、前記回転突起（７３０）は、外キャップ（７００）の回転時に陥没部（４１２）の両先端に安着され、外キャップ（３００）の独立的な回転範囲を限定することになり、陥没部（４１２）の両先端に安着される場合、内キャップ（４００）が外キャップ（７００）と一緒に回転するようにガイドすることになる。
【００３８】
以下では、図５および６を参照して、本発明の好ましい実施例に係るスポイト型化粧品容器の使用方法を説明する。
【００３９】
図５及び６は、本発明の好ましい実施例に係るスポイト型化粧品容器の使用状態を示す説明図である。図５および６を参照すると、本発明の好ましい実施例に係るスポイト型化粧品容器は、容器本体（１００）の上部に内キャップ（４００）と外キャップ（７００）が結合された状態で、ユーザーが外キャップ（７００  ）を一側へ回転するようになると、陥没部（４１２）の一端に位置していた回転突起（７３０）が陥没部（４１２）の他端へ安着されるまで、外キャップ（７００）の独立的な回転が行われるようになり、前記のように、外キャップ（７００）の独立的な回転が行われるようになると、外キャップ（７００）の垂直ガイド溝（７２０）に挿入された昇下降部材（５００）のガイド突起（５２０）が内キャップ（４００）の螺旋状溝（  ４２１）に沿って上昇するようになり、これにより、昇下降部材（５００）が一緒に移動してピストン（５００）の上昇が行われることとなる。
【００４０】
前記のようにピストン（５００）が上昇すると、その圧力によってスポイトパイプ（２００）の内部へ内容物の吸入が行われるようになり、この時、昇下降部材（５００）が上昇することによって昇下降部材（５００）の上部に結合されたボタン部（６００）が上方向へ移動するようになる。
【００４１】
次に、外キャップ（７００）の独立的な回転が完了すると、つまり、陥没部（４１２）の一端に位置していた回転突起（７３０）が陥没部（４１２）の他端へ安着が行われると、以降は外キャップ（７００  ）の回転と一緒に内キャップ（４００）の回転が行われるようになり、これにより、内キャップ（４００）と容器本体（１００）のネジ結合が解体され、容器本体（１００）から内キャップ（４００）の脱離が行われるようになる。
【００４２】
ユーザーは、外キャップ（７００）を把持して内キャップ（４００）を容器本体（１００）から脱離させた後、ボタン部（６００）を加圧することで、アプリケータ部（３００）を通じて内容物の使用が可能になり、この時、ボタン部（６００）の加圧時に昇下降部材（５００）が垂直にすぐに下降するのではなく、昇下降部材（５００）のガイド突起（５２０）が螺旋状溝（４２１）に沿って回転し、下降するように構成されることにより、昇下降部材（５００）の下降速度を制御できるようになる。これにより、ピストンによって発生する圧力を最小化し、スポイトパイプ（２００）の内部に貯蔵された内容物が急激に排出される現象を防止できるようになり、アプリケータ部（３００）を通じて正確な部位に内容物を塗布することが可能となる。
【００４３】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を持つ者であれば、多様な変形及び均等な他の実施例が可能であることを理解すべきである。したがって、本発明の真の技術的保護範囲は、添付された特許請求の範囲の技術的思想によって定められるべきである。
【図１】
0006344393.tif 000002
【図２】
0006344393.tif 000003
【図３】
0006344393.tif 000004
【図４（ａ）】
0006344393.tif 000005
【図４（ｂ）】
0006344393.tif 000006
【図５】
0006344393.tif 000007
【図６】
0006344393.tif 000008